(57)【要約】【課題】複数の料理を作成する際にかかる時間を低減できる料理情報生成装置を提供する。【解決手段】料理情報生成装置は、抽出部２１と、集約部２２とを備える。抽出部２１は、互いに異なる料理を示す複数の料理情報から同じ作業を示す複数の作業情報を抽出する。集約部２２は、抽出部２１によって抽出された複数の作業情報を集約して、集約作業情報を生成する。作業情報は、料理を構成する食材に対する作業を含む。集約作業情報は、同じ作業を示す複数の作業情報と、同じ作業の対象である食材を示す情報とを含む。【選択図】図２
2020194283.tif 000002
【特許請求の範囲】
【請求項１】
互いに異なる料理を示す複数の料理情報から同じ作業を示す複数の作業情報を抽出する抽出部と、
前記抽出部によって抽出された前記複数の作業情報を集約して、集約作業情報を生成する集約部と
を備え、
前記作業情報は、料理を構成する食材に対する作業を含み、
前記集約作業情報は、前記複数の作業情報と、前記同じ作業の対象である食材を示す情報とを含む、料理情報生成装置。
【請求項２】
前記作業は、食材を用意する作業と、食材を洗う作業と、食材の皮をむく作業と、食材を切る作業とのうちの少なくとも１つの作業を含む、請求項１に記載の料理情報生成装置。
【請求項３】
生成部を更に備え、
前記料理情報は、第１料理情報と第２料理情報とを含み、
前記第１料理情報は、第１加熱調理機で加熱調理する料理の情報を示し、
前記第２料理情報は、第２加熱調理機で加熱調理する料理の情報を示し、
前記抽出部は、前記第１料理情報と前記第２料理情報とから同じ作業を示す複数の作業情報を抽出し、
前記集約部は、前記抽出部によって抽出された前記第１料理情報の前記作業情報と、前記抽出部によって抽出された前記第２料理情報の前記作業情報とを集約して、前記集約作業情報を生成し、
前記生成部は、手順情報を生成し、
前記手順情報は、少なくとも１つ以上の前記集約作業情報と、第１作業情報と、第２作業情報とを含み、
前記第１作業情報は、前記第１料理情報に含まれる作業情報のうち、前記集約作業情報に含まれる前記同じ作業を示す作業情報と異なる作業を示し、
前記第２作業情報は、前記第２料理情報に含まれる作業情報のうち、前記集約作業情報に含まれる前記同じ作業を示す作業情報と異なる作業を示す、請求項１または請求項２に記載の料理情報生成装置。
【請求項４】
前記生成部は、第１時間と第２時間とが一致する前記手順情報を生成し、
前記第１時間は、前記第１料理情報に含まれる前記作業情報のうちの最後に実行する作業が終了する時間を示し、
前記第２時間は、前記第２料理情報に含まれる前記作業情報のうちの最後に実行する作業が終了する時間を示す、請求項３に記載の料理情報生成装置。
【請求項５】
前記第１料理情報に含まれる前記作業情報のうちの最後に実行する作業を示す前記作業情報は、前記第１加熱調理機が料理を加熱する作業を示し、
前記第２料理情報に含まれる前記作業情報のうちの最後に実行する作業を示す前記作業情報は、前記第２加熱調理機が料理を加熱する作業を示す、請求項４に記載の料理情報生成装置。
【請求項６】
手順情報を示す画像を表示する表示部と、
前記表示部を制御する制御部と
を備え、
前記手順情報は、複数の料理を作成する手順を示し、
前記手順情報は、前記複数の料理の作業情報と集約作業情報とを含み、
前記作業情報は、料理を構成する食材に対する作業を含み、
前記集約作業情報は、同じ作業を示す前記複数の作業情報と、前記同じ作業の対象である食材を示す情報とを含む、表示装置。
【請求項７】
料理を加熱する加熱調理機であって、
互いに異なる料理を示す複数の料理情報から同じ作業を示す複数の作業情報を抽出する抽出部と、
前記抽出部によって抽出された前記複数の作業情報を集約して、集約作業情報を生成する集約部と
を備え、
前記作業情報は、料理を構成する食材に対する作業を含み、
前記集約作業情報は、前記複数の作業情報と、前記同じ作業の対象である食材を示す情報とを含む、加熱調理機。
【請求項８】
前記加熱調理機と異なる加熱調理機と通信する通信部を更に備える、請求項７に記載の加熱調理機。
【請求項９】
互いに異なる料理を示す複数の料理情報から同じ作業を示す複数の作業情報を抽出するステップと、
前記抽出するステップで抽出した前記複数の作業情報を集約して、集約作業情報を集約部が生成するステップと
を包含し、
前記作業情報は、料理を構成する食材に対する作業を含み、
前記集約作業情報は、前記複数の作業情報と、前記同じ作業の対象である食材を示す情報とを含む、料理情報生成方法。
【発明の詳細な説明】
【技術分野】
【０００１】
本発明は、料理情報生成装置、表示装置、加熱調理機及び料理情報生成方法に関する。
【背景技術】
【０００２】
特許文献１に記載の表示装置は、出力部を備える。出力部は、手順情報を表示する。手順情報は、複数のレシピの調理手順を時系列に示す。
【先行技術文献】
【特許文献】
【０００３】
【特許文献１】特開２０１６−２８３１２号公報
【発明の概要】
【発明が解決しようとする課題】
【０００４】
しかしながら、特許文献１に記載の表示装置は、ある時刻で行った作業を別の時刻で再度行うことがあり、料理にかかる時間が増加していた。
【０００５】
本発明は上記課題に鑑みてなされたものであり、複数の料理を作成する際にかかる時間を低減できる料理情報生成装置、表示装置、加熱調理機及び料理情報生成方法を提供することを目的とする。
【課題を解決するための手段】
【０００６】
本発明の第１の観点に係る料理情報生成装置は、抽出部と、集約部とを備える。前記抽出部は、互いに異なる料理を示す複数の料理情報から同じ作業を示す複数の作業情報を抽出する。前記集約部は、前記抽出部によって抽出された前記複数の作業情報を集約して、集約作業情報を生成する。前記作業情報は、料理を構成する食材に対する作業を含む。前記集約作業情報は、前記同じ作業を示す前記複数の作業情報と、前記同じ作業の対象である食材を示す情報とを含む。
【０００７】
本発明の第２の観点に係る表示装置は、表示部と、制御部とを備える。前記表示部は、手順情報を示す画像を表示する。前記制御部は、前記表示部を制御する。前記手順情報は、複数の料理を作成する手順を示す。前記手順情報は、前記複数の料理の作業情報と、複数の作業情報が集約された集約作業情報とを含む。前記作業情報は、料理を構成する食材に対する作業を示す。前記集約作業情報は、前記同じ作業を示す複数の作業情報と、前記同じ作業の対象である食材を示す情報とを含む。
【０００８】
本発明の第３の観点に係る加熱調理機は、料理を加熱する。前記加熱調理機は、抽出部と、集約部とを備える。前記抽出部は、互いに異なる料理を示す複数の料理情報から同じ作業を示す複数の作業情報を抽出する。前記集約部は、前記抽出部によって抽出された前記複数の作業情報を集約して、集約作業情報を生成する。前記作業情報は、料理を構成する食材に対する作業を含む。前記集約作業情報は、前記同じ作業を示す前記複数の作業情報と、前記同じ作業の対象である食材を示す情報とを含む。
【０００９】
本発明の第４の観点に係る料理情報生成方法は、抽出するステップと、生成するステップとを包含する。前記抽出するステップは、互いに異なる料理を示す複数の料理情報から同じ作業を示す複数の作業情報を抽出部が抽出する。前記生成するステップは、前記抽出部によって抽出された前記複数の作業情報を集約して、集約作業情報を集約部が生成する。前記作業情報は、料理を構成する食材に対する作業を含む。前記集約作業情報は、前記同じ作業を示す前記複数の作業情報と、前記同じ作業の対象である食材を示す情報とを含む。
【発明の効果】
【００１０】
本発明によれば、複数の料理を作成する際にかかる時間を低減できる。
【図面の簡単な説明】
【００１１】
【図１】本発明の実施形態１に係る表示装置を示す図である。
【図２】実施形態１に係る表示装置の構成を示すブロック図である。
【図３】実施形態１の料理選択画面を表示したタッチパネルを示す図である。
【図４】実施形態１の確認画面を表示したタッチパネルを示す図である。
【図５】実施形態１の手順画面を表示したタッチパネルを示す図である。
【図６】実施形態１の手順画面を表示したタッチパネルの別の図である。
【図７】実施形態１の制御部が実行する処理を示すフローチャートである。
【図８】実施形態１の制御部が実行する集約処理を示すフローチャートである。
【図９】実施形態１の制御部が実行する終了時間調整処理を示すフローチャートである。
【図１０】本発明の実施形態２に係る第１加熱調理機と第２加熱調理機とを示す図である。
【図１１】実施形態２の第１加熱調理機と第２加熱調理機との構成を示すブロック図である。
【発明を実施するための形態】
【００１２】
以下、本発明の実施形態について、図面を参照しながら説明する。なお、図中、同一または相当部分については同一の参照符号を付して説明を繰り返さない。また、本発明の実施形態において、Ｘ軸、Ｙ軸、及びＺ軸は互いに直交し、Ｘ軸及びＹ軸は水平方向に平行であり、Ｚ軸は鉛直方向に平行である。
【００１３】
［実施形態１］
図１は、表示装置１００を示す図である。表示装置１００は、タッチパネル１０と、制御部２０と、記憶部３０と、通信部４０とを備える。表示装置１００は、「料理情報生成装置」の一例に相当する。表示装置１００は、例えば、スマートフォン、端末装置、及び加熱調理機の操作表示部である。
【００１４】
タッチパネル１０は、画像を表示する。タッチパネル１０は、操作を受け付ける。タッチパネル１０は、ユーザーの指で操作される。タッチパネル１０は、表示部１１と、タッチセンサー１２とを有する。
【００１５】
表示部１１は種々の画像を表示する。表示部１１は任意の画像を表示する。表示部１１は、例えば液晶表示装置（Ｌｉｑｕｉｄ  Ｃｒｙｓｔａｌ  Ｄｉｓｐｌａｙ：ＬＣＤ）である。表示部１１は、矩形状である。表示部１１とタッチセンサー１２とは重ねて配置される。ユーザーは、タッチセンサー１２を介して表示部１１に表示された画像を視認できる。
【００１６】
タッチセンサー１２は、指の押下位置を検知する。指の押下は、例えば、タッチ操作の位置を示す。タッチ操作の位置は、例えば、タッチセンサー１２に表示された画像の位置と対応する。
【００１７】
制御部２０は、タッチパネル１０、記憶部３０、及び通信部４０のような表示装置１００の各要素を制御する。制御部２０は、ＣＰＵ（Ｃｅｎｔｒａｌ  Ｐｒｏｃｅｓｓｉｎｇ  Ｕｎｉｔ）またはＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）のようなプロセッサー、及び記憶装置を含む。
【００１８】
制御部２０は、タッチセンサー１２が出力したタッチ操作の位置を示す信号を受け取る。制御部２０は、タッチパネル１０が画像を表示するように、タッチパネル１０を制御する。具体的には、制御部２０は、タッチパネル１０の表示部１１が画像を表示するように、タッチパネル１０の表示部１１を制御する。
【００１９】
また、制御部２０は、タッチパネル１０からタッチ位置を取得する。制御部２０は、表示部４３に表示した画像の位置とタッチ位置とに基づいて、操作された画像を特定する。
【００２０】
記憶部３０は、記憶装置を含み、データ及びコンピュータープログラムを記憶する。具体的には、記憶部３０は、半導体メモリーのような主記憶装置、並びに、半導体メモリー及び／またはハードディスクドライブのような補助記憶装置を含む。記憶部３０は、リムーバブルメディアを含んでもよい。データは、画像を含む。記憶部３０に記憶される画像は、画面及びアイコンを含む。
【００２１】
通信部４０は、ネットワークを介して、外部機器と通信する。外部機器は、例えば、加熱調理機である。加熱調理機は、食材を加熱調理できる。
【００２２】
次に、図２を参照して、表示装置１００の構成を更に詳しく説明する。図２は、表示装置１００の構成を示すブロック図である。図２に示すように、表示装置１００の制御部２０は、抽出部２１と、集約部２２とを含む。制御部２０は、記憶装置に記憶されたコンピュータープログラムを実行することで、抽出部２１、及び集約部２２として機能する。
【００２３】
抽出部２１は、料理情報から作業情報を抽出する。料理情報は、１つの料理を示す情報である。料理情報は、加熱調理機を示す情報と複数の作業情報を含む。加熱調理機を示す情報は、料理を構成する食材を加熱調理する加熱調理機を示す。作業情報は、料理を構成する食材に対する作業を含む。また、作業情報は、作業期間を含む。作業期間は、作業に費やす時間を示す。作業は、食材を用意する作業と、食材を洗う作業と、食材の皮をむく作業と、食材を切る作業とのうちの少なくとも１つの作業を含む。一般的に料理には食材に対する作業が多いため、食材に対する作業を抽出することで作業を集約することが容易となる。
【００２４】
また、抽出部２１は、複数の料理情報から複数の作業情報を抽出する。具体的には、抽出部２１は、互いに異なる料理を示す複数の料理情報から同じ作業を示す複数の作業情報を抽出する。
【００２５】
集約部２２は、抽出部２１によって抽出された複数の作業情報を集約して、集約作業情報を生成する。集約作業情報は、同じ作業を示す複数の作業情報と、同じ作業の対象である食材を示す情報とを含む。
【００２６】
集約部２２は、複数の料理の各々に含まれる作業のうち、共通する作業を１つの手順に集約する。したがって、異なるタイミングで実行される同じ作業を同じ手順で実行できる。つまり、実行した作業と共通する作業を異なる後の手順で再び実行することを抑制できる。この結果、作業の重複を抑制し、複数の料理を作成する際にかかる時間を低減できる。
【００２７】
例えば、２つの料理のそれぞれに「食材を用意する作業」を示す作業情報が含まれている。一方の料理で「食材を用意する作業」を行い、後に他方の料理で「食材を用意する作業」する場合、作業が重複するため２倍の時間がかかる。「食材を用意する作業」の作業期間は、例えば、「３分」である。つまり、作業が重複する場合、合計で「６分」の時間がかかる。
【００２８】
具体的には、「食材を用意する作業」は、例えば、第１工程と第２工程と第３工程とを含む。第１工程は、例えば、「冷蔵庫から食材を取り出すために、調理台から冷蔵庫まで移動する作業」である。第２工程は、例えば、「冷蔵庫から食材を取り出す作業」である。第３工程は、例えば、「冷蔵庫から調理台まで食材を運ぶ作業」である。第１工程は、例えば、「３分」のうちの「０．５分」の時間がかかる。第２工程は、例えば、「３分」のうちの「２分」の時間がかかる。第３工程は、例えば、「３分」のうちの「０．５分」の時間がかかる。作業が重複する場合、料理ごとに、第１工程〜第３工程を実行することとなる。
【００２９】
一方、集約部２２の集約作業情報にしたがって、作業を行う場合、「食材を用意する作業」の作業期間は、例えば、合計で「５分」となる。
【００３０】
具体的には、集約作業情報にしたがって作業を行う場合、第１工程を実行する回数が１回となる。つまり、「調理台から冷蔵庫まで移動する作業」が１回で終了するため、「０．５分」の時間が省略される。更に、第３工程を実行する回数が１回となる。つまり、「冷蔵庫から調理台まで食材を運ぶ作業」が１回で終了するため、「０．５分」の時間が省略される。したがって、合計で「１分」の時間が省略される。集約作業情報にしたがって作業を行う場合の「食材を用意する作業」の作業期間は、合計で「５分」となる。この結果、作業の重複を抑制しつつ、作業期間を低減できる。
【００３１】
引き続き、図２を参照して、表示装置１００の制御部２０を詳しく説明する。制御部２０は、生成部２３を更に含む。制御部２０は、記憶装置に記憶されたコンピュータープログラムを実行することで、生成部２３として機能する。
【００３２】
生成部２３は、手順情報を生成する。手順情報は、複数の料理を作成する手順を示す。手順情報は、複数の料理情報に含まれる複数の作業情報を含む。生成部２３は、複数の作業情報を時系列に並べて、複数の料理を作成する手順情報を生成する。
【００３３】
また、本実施形態の料理情報は、第１料理情報と第２料理情報とを含む。第１料理情報は、１つの料理を示す情報である。第１料理情報は、第１加熱調理機で加熱調理する料理の情報を示す。第１加熱調理機は、例えば、電流により金属製の加熱部２５０を発熱させて食材を加熱する調理機である。
【００３４】
第２料理情報は、１つの料理を示す情報である。第２料理情報が示す料理と第１料理情報が示す料理とは、互いに異なる料理である。第２料理情報は、第２加熱調理機で加熱調理する料理の情報を示す。第２加熱調理機は、例えば、電磁波、ヒーター、及び加熱した水蒸気のうちの少なくとも１つによって食材を加熱する調理機である。
【００３５】
また、本実施形態の生成部２３は、手順情報を生成する。生成部２３が生成する手順情報は、集約作業情報と、第１作業情報と、第２作業情報とを含む。第１作業情報は、第１料理情報に含まれる作業情報のうち、集約作業情報に含まれる同じ作業を示す作業情報と異なる作業を示す。第２作業情報は、第２料理情報に含まれる作業情報のうち、集約作業情報に含まれる同じ作業を示す作業情報と異なる作業を示す。したがって、複数の加熱調理機を用いて、複数の料理を作成できる。１つの加熱調理機で複数の料理を作成するときと比べて、調理に係る時間が短くなる。この結果、効率的に料理を作成できる。
【００３６】
例えば、料理情報に第１料理情報と第２料理情報とが含まれる場合、抽出部２１は第１料理情報と第２料理情報とから同じ作業を示す複数の作業情報を抽出する。具体的には、抽出部２１は、第１料理情報に含まれる作業情報のうちの１つの作業情報を抽出する。そして、抽出部２１は、第２料理情報に含まれる作業情報のうちの１つの作業情報を抽出する。更に、抽出部２１は、第１料理情報の作業情報が示す作業と第２料理情報の作業情報が示す作業とが同じ作業であるか否かを判定する。第１料理情報の作業情報と第２料理情報の作業情報とが同じ作業である場合、抽出部２１は抽出した作業情報が同じ作業であることを示す情報を集約部２２に送信する。
【００３７】
抽出部２１は、既に抽出した第１料理情報の作業情報と異なる作業情報を第１料理情報から抽出する。そして、抽出部２１は、第２料理情報に含まれる作業情報のうちの１つの作業情報を抽出する。更に、抽出部２１は、同じ作業であるか否かを判定し、抽出結果を集約部２２に送信する。抽出部２１は、第１料理情報に含まれるすべての作業情報に対して判定を行い、抽出結果を集約部２２に送信する。
【００３８】
また、第１料理情報の作業情報と第２料理情報の作業情報とが同じ作業でない場合、抽出部２１は、第２料理情報に含まれる作業情報のうちの１つの作業情報を更に抽出する。更に抽出した作業情報は、既に抽出した第２料理情報の作業情報と異なる。そして、抽出部２１は、第１料理情報の作業情報と、更に抽出した第２料理情報の作業情報とが同じ作業であるか否かを判定する。
【００３９】
そして、集約部２２は、抽出部２１によって抽出された第１料理情報の作業情報と、抽出部２１によって抽出された第２料理情報の作業情報とを集約して、集約作業情報を生成する。具体的には、集約部２２は、抽出部２１の抽出結果に基づいて、第１料理情報の作業情報と第２料理情報の作業情報とを集約して、集約作業情報を生成する。
【００４０】
更に、生成部２３は、手順情報を生成する。生成部２３が生成する手順情報は、集約作業情報と、第１作業情報と、第２作業情報とを含む。生成部２３は、集約作業情報と第１作業情報と第２作業情報とを時系列に並べて、複数の料理を作成する手順情報を生成する。したがって、複数の加熱調理機を用いて、複数の料理を作成できる。１つの加熱調理機で複数の料理を作成するときと比べて、調理に係る時間が短くなる。
【００４１】
次に、図３〜図５を参照して、集約部２２が複数の作業情報を集約して、１つの集約作業情報を生成するまでの処理を説明する。
【００４２】
図３は、料理選択画面１１０を表示したタッチパネル１０を示す図である。図３に示す料理選択画面１１０を表示する場合、制御部２０は、タッチパネル１０が料理選択画面１１０を表示するように、タッチパネル１０を制御する。
【００４３】
図３に示す料理選択画面１１０は、料理を選択する画面である。料理選択画面１１０は、複数の料理画像Ｃと、決定アイコン１１１を含む。複数の料理画像Ｃのうちの１つは、第１料理画像Ｃ１である。複数の料理画像Ｃのうちの１つは、第２料理画像Ｃ２である。
【００４４】
第１料理画像Ｃ１は、１つの料理を示す画像である。具体的には、第１料理画像Ｃ１は、１つの料理情報を示す画像である。第１料理画像Ｃ１は、例えば、「みそ汁」である。第１料理画像Ｃ１が示す料理は、例えば、第１加熱調理機によって加熱調理される。
【００４５】
第２料理画像Ｃ２は、第１料理画像Ｃ１と異なる１つの料理を示す画像である。具体的には、第２料理画像Ｃ２は、１つの料理情報を示す画像である。第２料理画像Ｃ２は、例えば、「焼き野菜」である。第２料理画像Ｃ２が示す料理は、例えば、第２加熱調理機によって加熱調理される。
【００４６】
決定アイコン１１１は、料理情報を集約することを決定する。具体的には、決定アイコン１１１は、料理選択画面１１０で選択された料理情報を集約することを決定する。
【００４７】
タッチパネル１０は、料理選択画面１１０に対するタッチ操作を受け付ける。料理選択画面１１０に対するタッチ操作をタッチパネル１０が受け付けた場合、タッチパネル１０はタッチ位置を示す情報を制御部２０に送信する。制御部２０は、第１料理画像Ｃ１が表示された位置を示す情報と、第２料理画像Ｃ２が表示された位置を示す情報と、タッチ位置を示す情報とに基づいて、タッチ操作された料理画像Ｃを特定する。
【００４８】
図４は、確認画面１２０を表示したタッチパネル１０を示す図である。確認画面１２０は、料理選択画面１１０で選択した料理画像Ｃの作業画像を表示する画面である。図４に示す確認画面１２０には、第１料理画像Ｃ１と、複数の作業画像ＯＰＡと、第２料理画像Ｃ２と、複数の作業画像ＯＰＢとが表示される。
【００４９】
図４に示す第１料理画像Ｃ１は、第１料理情報Ｃ１を示す画像である。第１料理情報Ｃ１は、第１料理画像Ｃ１に対応するため同じ参照符号を付す。第１料理画像Ｃ１は、複数の作業画像ＯＰＡと関連付けられる。複数の作業画像ＯＰＡは、第１料理情報Ｃ１に含まれる複数の作業情報ＯＰＡを示す画像である。複数の作業情報ＯＰＡは、複数の作業画像ＯＰＡに対応するため同じ参照符号を付す。複数の作業画像ＯＰＡは、作業画像ＯＰ１〜作業画像ＯＰ１１を含む。作業画像ＯＰ１〜作業画像ＯＰ１１は、作業情報ＯＰ１〜作業情報ＯＰ１１を示す画像である。作業情報ＯＰ１〜作業情報ＯＰ１１は、作業画像ＯＰ１〜作業画像ＯＰ１１に対応するため同じ参照符号を付す。
【００５０】
図４に示す第２料理画像Ｃ２は、第２料理情報Ｃ２を示す画像である。第２料理情報Ｃ２は、第２料理画像Ｃ２に対応するため同じ参照符号を付す。第２料理画像Ｃ２は、複数の作業画像ＯＰＢと関連付けられる。複数の作業画像ＯＰＢは、第２料理情報Ｃ２に含まれる複数の作業情報ＯＰＢを示す画像である。複数の作業情報ＯＰＢは、複数の作業画像ＯＰＢに対応するため同じ参照符号を付す。複数の作業画像ＯＰＢは、作業画像ＯＰ２１〜作業画像ＯＰ３１を含む。作業画像ＯＰ２１〜作業画像ＯＰ３１は、作業情報ＯＰ２１〜作業情報ＯＰ３１を示す画像である。作業情報ＯＰ２１〜作業情報ＯＰ３１は、作業画像ＯＰ２１〜作業画像ＯＰ３１に対応するため同じ参照符号を付す。
【００５１】
図４に示すように、確認画面１２０に第１料理画像Ｃ１と第２料理画像Ｃ２とを表示する場合、例えば、図３に示す料理選択画面１１０で第１料理画像Ｃ１に対してタッチ操作を行う。そして、第２料理画像Ｃ２に対してタッチ操作を行う。更に、決定アイコン１１１に対してタッチ操作を行う。
【００５２】
そして、料理選択画面１１０でのタッチ操作に基づいて、制御部２０は確認画面１２０を表示するように、タッチパネル１０を制御する。具体的には、制御部２０は、確認画面１２０を表示するように、タッチパネル１０を制御する。確認画面１２０は、第１料理画像Ｃ１と複数の作業画像ＯＰＡと第２料理画像Ｃ２と複数の作業画像ＯＰＢとを含む。
【００５３】
図５は、手順情報を示す手順画面１３０を表示したタッチパネル１０を示す。図５に示す手順画面１３０は、第１手順Ｐ１と、第２手順Ｐ２と、第３手順Ｐ３と、第４手順Ｐ４と、第５手順Ｐ５と、第６手順Ｐ６と、第７手順Ｐ７と、第８手順Ｐ８と、第９手順Ｐ９とを含む。
【００５４】
第１手順Ｐ１は、集約作業情報である。第１手順Ｐ１には、同じ作業を示す複数の作業情報が含まれる。具体的には、第１手順Ｐ１には、第１料理情報Ｃ１の作業情報ＯＰＡと第２料理情報Ｃ２の作業情報ＯＰＢとから抽出部２１が抽出した同じ作業を示す複数の作業情報が含まれる。図５に示すように、第１手順Ｐ１の集約作業情報が示す同じ作業は、「食材を用意する作業」である。第１手順Ｐ１は、作業情報ＯＰ１、合成作業情報ＳＴ１、作業情報ＯＰ２５、及び作業情報ＯＰ２７を含む。
【００５５】
作業情報ＯＰ１は、食材Ｂ１を用意する作業を示す。具体的には、作業情報ＯＰ１は、２００ｇの食材Ｂ１を用意する作業を示す。食材Ｂ１は、例えば、「人参」である。食材Ｂ１は、第１料理情報Ｃ１が示す料理を構成する食材である。
【００５６】
合成作業情報ＳＴ１は、食材Ｂ２を用意する作業を示す。具体的には、合成作業情報ＳＴは、３００ｇの食材Ｂ２を用意する作業を示す。食材Ｂ２は、例えば、「サツマイモ」である。
【００５７】
合成作業情報ＳＴ１は、作業情報ＯＰ５と作業情報ＯＰ２１とを含む。作業情報ＯＰ５と作業情報ＯＰ２１とは、食材Ｂ２を用意する作業を示す。具体的には、作業情報ＯＰ５は、１５０ｇの食材Ｂ２を用意する作業を示す。作業情報ＯＰ２１は、１５０ｇの食材Ｂ２を用意する作業を示す。食材Ｂ２は、第１料理情報Ｃ１が示す料理を構成する食材である。また、食材Ｂ２は、第２料理情報Ｃ２が示す料理を構成する食材である。集約部２２は、互いに異なる料理で同じ食材が使用される場合、用意する食材の合計値を算出し、合成作業情報を生成し、１つの集約作業情報としてもよい。
【００５８】
作業情報ＯＰ２５は、食材Ｂ３を用意する作業を示す。具体的には、作業情報ＯＰ２５は、１５０ｇの食材Ｂ３を用意する作業を示す。食材Ｂ３は、例えば、「しめじ」である。食材Ｂ３は、第２料理情報Ｃ２が示す料理を構成する食材である。
【００５９】
作業情報ＯＰ２７は、食材Ｂ４を用意する作業を示す。具体的には、作業情報ＯＰ２７は、２００ｇの食材Ｂ４を用意する作業を示す。食材Ｂ４は、例えば、「パプリカ」である。食材Ｂ４は、第２料理情報Ｃ２が示す料理を構成する食材である。
【００６０】
第２手順Ｐ２は、集約作業情報である。第２手順Ｐ２には、同じ作業を示す複数の作業情報が含まれる。図５に示すように、第２手順Ｐ２の集約作業情報が示す同じ作業は、「食材を洗う作業」である。第２手順Ｐ２は、作業情報ＯＰ２、合成作業情報ＳＴ１、及び作業情報ＯＰ２８を含む。
【００６１】
作業情報ＯＰ２は、食材Ｂ１を洗う作業を示す。例えば、作業情報ＯＰ２は、「人参」を洗う作業を示す。合成作業情報ＳＴ２は、食材Ｂ２を洗う作業を示す。合成作業情報ＳＴ２は、作業情報ＯＰ６と作業情報ＯＰ２２とを含む。例えば、作業情報ＯＰ６は、「サツマイモ」を洗う作業を示す。例えば、作業情報ＯＰ２２は、「サツマイモ」を洗う作業を示す。作業情報ＯＰ２８は、食材Ｂ４を洗う作業を示す。例えば、作業情報ＯＰ２８は、「パプリカ」を洗う作業を示す。
【００６２】
第３手順Ｐ３は、集約作業情報である。第３手順Ｐ３には、同じ作業を示す複数の作業情報が含まれる。図５に示すように、第３手順Ｐ３の集約作業情報が示す同じ作業は、「食材の皮をむく作業」である。第３手順Ｐ３は、作業情報ＯＰ３、及び合成作業情報ＳＴ３を含む。
【００６３】
作業情報ＯＰ３は、食材Ｂ１の皮をむく作業を示す。例えば、作業情報ＯＰ３は、「人参」の皮をむく作業を示す。合成作業情報ＳＴ３は、食材Ｂ２の皮をむく作業を示す。合成作業情報ＳＴ３は、作業情報ＯＰ７と作業情報ＯＰ２３とを含む。作業情報ＯＰ７は、「サツマイモ」の皮をむく作業を示す。例えば、作業情報ＯＰ２３は、「サツマイモ」の皮をむく作業を示す。
【００６４】
第４手順Ｐ４は、集約作業情報である。第４手順Ｐ４には、同じ作業を示す複数の作業情報が含まれる。図５に示すように、第４手順Ｐ４の集約作業情報が示す同じ作業は、「食材を切る作業」である。なお、食材を切る作業は、食材を２以上に分ける作業を含む。食材を２以上に分ける作業は、「食材をほぐす作業」を含む。第４手順Ｐ４は、作業情報ＯＰ４、合成作業情報ＳＴ４、作業情報ＯＰ２６、及び作業情報ＯＰ２９を含む。
【００６５】
作業情報ＯＰ４は、食材Ｂ１を切る作業を示す。例えば、作業情報ＯＰ４は、「人参」を７ｍｍの幅に切る作業を示す。合成作業情報ＳＴ４は、食材Ｂ２を切る作業を示す。合成作業情報ＳＴ４は、作業情報ＯＰ８と作業情報ＯＰ２４とを含む。例えば、作業情報ＯＰ８は、「サツマイモ」を７ｍｍの幅に切る作業を示す。例えば、作業情報ＯＰ２４は、「サツマイモ」を７ｍｍの幅に切る作業を示す。作業情報ＯＰ２６は、食材Ｂ３をほぐす作業を示す。例えば、作業情報ＯＰ２６は、「しめじ」をほぐす作業を示す。作業情報ＯＰ２９は、食材Ｂ４を切る作業を示す。例えば、作業情報ＯＰ２９は、「パプリカ」を一口大に切る作業を示す。
【００６６】
第５手順Ｐ５は、作業情報である。第５手順Ｐ５は、第１料理情報Ｃ１に含まれる作業情報ＯＰ９である。図５に示すように、作業情報ＯＰ９は、「調理機具を洗う作業」である。調理機具は、例えば、包丁とまな板とである。
【００６７】
第６手順Ｐ６は、作業情報である。第６手順Ｐ６は、第２料理情報Ｃ２に含まれる作業情報ＯＰ３０である。図５に示すように、作業情報ＯＰ３０は、「調理機具を洗う作業」である。
【００６８】
第７手順Ｐ７は、作業情報である。第７手順Ｐ７は、第１料理情報Ｃ１に含まれる作業情報ＯＰ１０である。図５に示すように、作業情報ＯＰ１０は、「調味料を入れる作業」である。調味料は、例えば、「味噌」である。例えば、作業情報ＯＰ１０は、第１加熱調理機に調味料を入れる作業である。
【００６９】
第８手順Ｐ８は、作業情報である。第８手順Ｐ８は、第２料理情報Ｃ２に含まれる作業情報ＯＰ３１である。図５に示すように、作業情報ＯＰ３１は、「食材を第２加熱調理機で加熱する作業」である。例えば、作業情報ＯＰ３１は、食材Ｂ２と食材Ｂ３と食材Ｂ４とを第２加熱調理機で加熱する作業である。具体的には、作業情報ＯＰ３１は、「１５０ｇのサツマイモ」と「１５０ｇのしめじ」と「２００ｇのパプリカ」とを第２加熱調理機で加熱する作業である。
【００７０】
第９手順Ｐ９は、作業情報である。第９手順Ｐ９は、第１料理情報Ｃ１に含まれる作業画像ＯＰ１１である。図５に示すように、作業情報ＯＰ１１は「食材を第１加熱調理機で加熱する作業」である。例えば、作業情報ＯＰ１１は、食材Ｂ１と食材Ｂ２とを第１加熱調理機で加熱する作業である。具体的には、作業情報ＯＰ１１は、「２００ｇの人参」と「１５０ｇのサツマイモ」とを第１加熱調理機で加熱する作業である。
【００７１】
そして、第１加熱調理機によって、「２００ｇの人参」と「１５０ｇのサツマイモ」とが加熱調理される。この結果、第１加熱調理機によって「みそ汁」が作成される。また、第２加熱調理機によって、「１５０ｇのサツマイモ」と「１５０ｇのしめじ」と「２００ｇのパプリカ」とが加熱調理される。この結果、第２加熱調理機によって「焼き野菜」が作成される。
【００７２】
また、本実施形態の生成部２３は、第１時間と第２時間とが一致する手順情報を生成する。第１時間は、第１料理情報Ｃ１に含まれる作業情報のうちの最後に実行する作業が終了する時間を示す。第２時間は、第２料理情報Ｃ２に含まれる作業情報のうちの最後に実行する作業が終了する時間を示す。したがって、料理が同時に出来上がる。この結果、ユーザーが一方の料理の出来上がりを待つことを抑制できる。
【００７３】
第１時間と第２時間とが一致する手順情報を生成する場合、制御部２０は、最後に実行する作業を示す作業情報に含まれる作業時間を取得する。具体的には、制御部２０は、第１料理情報Ｃ１の最後に実行する作業を示す作業情報に含まれる作業時間を取得する。また、制御部２０は、第２料理情報Ｃ２の最後に実行する作業を示す作業情報に含まれる作業時間を取得する。
【００７４】
そして、制御部２０は、第１料理情報Ｃ１の最後の作業情報に含まれる作業期間と、第２料理情報Ｃ２の最後の作業情報に含まれる作業期間とが一致するか否かを判定する。作業期間が一致する場合、制御部２０は、作業情報が一致する旨の情報を生成部２３に送信する。作業期間が一致しない場合、制御部２０は、第１料理情報Ｃ１の最後の作業情報に含まれる作業期間と、第２料理情報Ｃ２の最後の作業情報に含まれる作業期間との差を算出する。
【００７５】
そして、制御部２０は、算出した差に基づいて、第１料理情報Ｃ１の最後の作業情報の第１時間と第２料理情報Ｃ２の最後の作業情報の第２時間とが一致するように、第１料理情報Ｃ１の最後の作業情報の開始時間または第２料理情報Ｃ２の最後の作業情報の開始時間を調整する。具体的には、制御部２０は、第１料理情報Ｃ１の最後の作業情報に含まれる作業期間と、第２料理情報Ｃ２の最後の作業情報に含まれる作業期間とを比較して、作業期間が短い作業情報の開始時間を遅くする。したがって、第１時間と第２時間とを一致させることができる。この結果、料理が同時に出来上がる。
【００７６】
また、第１料理情報Ｃ１に含まれる作業情報のうちの最後に実行する作業を示す作業情報は、第１加熱調理機が料理を加熱する作業を示す。また、第２料理情報Ｃ２に含まれる作業情報のうちの最後に実行する作業を示す作業情報は、第２加熱調理機が料理を加熱する作業を示す。したがって、加熱した料理が同時に出来上がる。この結果、一方の料理の出来上がりを待って、他方の料理が冷めることを抑制できる。
【００７７】
次に、図５と図６とを参照して、生成部２３が複数の料理の終了時間を一致させる処理を説明する。図６は、手順情報を示す手順画面１３０を表示したタッチパネル１０の別の図である。図６に示す手順画面１３０は、第１手順Ｐ１と、第２手順Ｐ２と、第３手順Ｐ３と、第４手順Ｐ４と、第５手順Ｐ５と、第６手順Ｐ６と、第７手順Ｐ７と、第８手順Ｐ８と、第９手順Ｐ９とを含む。そして、手順画面１３０は、期間Ｔ１と、期間Ｔ２と、期間Ｔ３と、期間Ｔ４と、期間Ｔ５と、期間Ｔ６と、期間Ｔ７とを含む。
【００７８】
第１手順Ｐ１〜第４手順Ｐ４は、集約作業情報である。第５手順Ｐ５〜第９手順Ｐ９は、作業情報である。
【００７９】
期間Ｔ１は、第１手順Ｐ１の作業期間を示す。具体的には、期間Ｔ１は、第１手順Ｐ１に含まれる同じ作業を示す複数の作業情報をユーザーが実行する期間である。期間Ｔ１は、例えば「９分」である。期間Ｔ１は、期間Ｔ１の開始時間と期間Ｔ１の終了時間とを含む。第１手順Ｐ１は、期間Ｔ１の開始時間から実行され、期間Ｔ１の終了時間で終了する。
【００８０】
期間Ｔ２は、第２手順Ｐ２の作業期間を示す。具体的には、期間Ｔ２は、第２手順Ｐ２に含まれる同じ作業を示す複数の作業情報をユーザーが実行する期間である。期間Ｔ２は、例えば「５分」である。期間Ｔ２は、期間Ｔ２の開始時間と期間Ｔ２の終了時間とを含む。第２手順Ｐ２は、期間Ｔ２の開始時間から実行され、期間Ｔ２の終了時間で終了する。
【００８１】
期間Ｔ３は、第３手順Ｐ３の作業期間を示す。具体的には、期間Ｔ３は、第３手順Ｐ３に含まれる同じ作業を示す複数の作業情報をユーザーが実行する期間である。期間Ｔ３は、例えば「５分」である。期間Ｔ３は、期間Ｔ３の開始時間と期間Ｔ３の終了時間とを含む。第３手順Ｐ３は、期間Ｔ３の開始時間から実行され、期間Ｔ３の終了時間で終了する。
【００８２】
期間Ｔ４は、第４手順Ｐ４の作業期間を示す。具体的には、期間Ｔ４は、第４手順Ｐ４に含まれる同じ作業を示す複数の作業情報をユーザーが実行する期間である。期間Ｔ４は、例えば「１５分」である。期間Ｔ４は、期間Ｔ４の開始時間と期間Ｔ４の終了時間とを含む。第４手順Ｐ４は、期間Ｔ４の開始時間から実行され、期間Ｔ４の終了時間で終了する。
【００８３】
期間Ｔ５は、第５手順Ｐ５の作業期間を示す。具体的には、期間Ｔ５は、第５手順Ｐ５に含まれる作業情報をユーザーが実行する期間である。期間Ｔ５は、例えば「３分」である。期間Ｔ５は、期間Ｔ５の開始時間と期間Ｔ５の終了時間とを含む。第５手順Ｐ５は、期間Ｔ５の開始時間から実行され、期間Ｔ５の終了時間で終了する。
【００８４】
また、期間Ｔ５は、第６手順Ｐ６の作業期間を示す。具体的には、期間Ｔ５は、第６手順Ｐ６に含まれる作業情報をユーザーが実行する期間である。期間Ｔ５は、例えば「３分」である。期間Ｔ５は、期間Ｔ５の開始時間と期間Ｔ５の終了時間とを含む。第６手順Ｐ６は、期間Ｔ５の開始時間から実行され、期間Ｔ５の終了時間で終了する。
【００８５】
期間Ｔ６は、第７手順Ｐ７の作業期間を示す。具体的には、期間Ｔ６は、第７手順Ｐ７に含まれる作業情報をユーザーが実行する期間である。期間Ｔ６は、例えば「５分」である。期間Ｔ６は、期間Ｔ６の開始時間と期間Ｔ６の終了時間とを含む。第６手順Ｐ６は、期間Ｔ６の開始時間から実行され、期間Ｔ６の終了時間で終了する。
【００８６】
期間Ｔ７は、第９手順Ｐ９の作業期間を示す。具体的には、期間Ｔ７は、第９手順Ｐ９に含まれる作業情報をユーザーが実行する期間である。期間Ｔ７は、例えば「２０分」である。期間Ｔ７は、期間Ｔ７の開始時間と期間Ｔ７の終了時間とを含む。第９手順Ｐ９は、期間Ｔ７の開始時間から実行され、期間Ｔ７の終了時間で終了する。
【００８７】
また、期間Ｔ６と期間Ｔ７とは、第８手順Ｐ８の作業期間を示す。第８手順Ｐ８は、期間Ｔ６と期間Ｔ７とに渡って実行される作業である。具体的には、期間Ｔ６と期間Ｔ７とは、第８手順Ｐ８に含まれる作業情報をユーザーが実行する期間である。期間Ｔ６と期間Ｔ７とは、例えば「２５分」である。期間Ｔ６と期間Ｔ７とは、期間Ｔ６の開始時間と期間Ｔ６の終了時間とを含み、期間Ｔ７の開始時間と期間Ｔ７の終了時間とを含む。第７手順Ｐ７は、期間Ｔ６の開始時間から開始され、期間Ｔ７の終了時間で終了する。
【００８８】
図５と図６とに示すように、第９手順Ｐ９は、第１料理情報Ｃ１に含まれる作業情報のうちの最後に実行する作業を示す作業情報ＯＰ１１を含む。第１料理情報Ｃ１の作業情報ＯＰ１１の終了する時間は、期間Ｔ７の終了時間である。また、第８手順Ｐ８は、第２料理情報Ｃ２に含まれる作業情報のうちの最後に実行する作業を示す作業情報ＯＰ３１を含む。第２料理情報Ｃ２の作業情報ＯＰ３１の終了する時間は、期間Ｔ７の終了時間である。したがって、図５と図６とに示す手順情報は、第１料理情報Ｃ１に含まれる作業情報のうちの最後に実行する作業を示す作業情報が終了する時間と、第２料理情報Ｃ２に含まれる作業情報のうちの最後に実行する作業を示す作業情報が終了する時間とが一致する。
【００８９】
また、図５と図６とに示す手順情報は、第１加熱調理機が料理を加熱する作業を示す作業情報ＯＰ１１の終了時間と、第２加熱調理機が料理を加熱する作業を示す作業情報ＯＰ３１の期間の終了時間とが一致する。この結果、第１加熱調理機で調理する料理の出来上がりと第２加熱調理機で調理する料理の出来上がりとが一致し、ユーザーは暖かい２つの料理を食べることができる。
【００９０】
次に、図７を参照して制御部２０が実行する処理を説明する。図７は、制御部２０が実行する処理を示すフローチャートである。図７に示す制御部２０が実行する処理は、ステップＳ１０１〜ステップＳ１０７を含む。
【００９１】
ステップＳ１０１において、制御部２０は、献立選択画面を表示部１１に表示するように、タッチパネル１０を制御する。処理はステップＳ１０１に進む。
【００９２】
ステップＳ１０２において、制御部２０は、タッチセンサー１２から第１料理情報Ｃ１を取得する。処理はステップＳ１０３に進む。
【００９３】
ステップＳ１０３において、制御部２０は、タッチセンサー１２から第２料理情報Ｃ２を取得する。処理はステップＳ１０４に進む。
【００９４】
ステップＳ１０４において、制御部２０は、集約処理を実行する。集約処理については、図８を参照して後述する。処理はステップＳ１０５に進む。
【００９５】
ステップＳ１０５において、制御部２０は、終了時間調整処理を実行する。終了時間調整処理については、図９を参照して後述する。処理はステップＳ１０６に進む。
【００９６】
ステップＳ１０６において、生成部２３は、手順情報を生成する。処理は、ステップＳ１０７に進む。
【００９７】
ステップＳ１０７において、制御部２０は、表示部１１に手順情報を示す手順画面１３０を表示するように、タッチパネル１０を制御する。処理は終了する。
【００９８】
次に、図８を参照して制御部２０が実行する集約処理を説明する。図８は、制御部２０が実行する集約処理を示すフローチャートである。図８に示す集約処理は、ステップＳ２０１〜ステップＳ２０５を含む。図８に示す集約処理は、図７に示すステップＳ１０４に対応する。
【００９９】
ステップＳ２０１において、抽出部２１は、第１料理情報Ｃ１から作業情報を抽出する。処理は、ステップＳ２０２に進む。
【０１００】
ステップＳ２０２において、抽出部２１は、第２料理情報Ｃ２から作業情報を抽出する。処理はステップＳ２０３に進む。
【０１０１】
ステップＳ２０３において、抽出部２１は、抽出した第１料理情報Ｃ１の作業情報が示す作業と抽出した第２料理情報Ｃ２の作業情報が示す作業とが一致するか否かを判定する。第１料理情報Ｃ１の作業情報と第２料理情報Ｃ２の作業情報とが一致しない場合（ステップＳ２０３において、Ｎｏ）、処理は、ステップＳ２０５に進む。第１料理情報Ｃ１の作業情報と第２料理情報Ｃ２の作業情報とが一致する場合（ステップＳ２０３において、Ｙｅｓ）、処理は、ステップＳ２０４に進む。
【０１０２】
ステップＳ２０３でＹｅｓの場合、ステップＳ２０４において、集約部２２は、抽出部２１によって抽出された複数の作業情報を集約して、１つの集約作業情報を生成する。具体的には、集約部２２は、抽出部２１によって抽出された第１料理情報Ｃ１の作業情報と、抽出部２１によって抽出された第２料理情報Ｃ２の作業情報とを集約して、集約作業情報を生成する。
【０１０３】
ステップＳ２０３でＮｏの場合、または、ステップＳ２０４の後に、ステップＳ２０５において、制御部２０は、抽出部２１が抽出していない他の作業情報があるか否かを判定する。他の作業情報がある場合（ステップＳ２０５において、Ｙｅｓ）、処理はステップＳ２０１に戻る。他の作業情報がない場合（ステップＳ２０５において、Ｎｏ）、処理は図６に示すステップＳ１０５に戻る。
【０１０４】
次に、図９を参照して制御部２０が実行する終了時間調整処理を説明する。図９は、制御部２０が実行する終了時間調整処理を示すフローチャートである。図９に示す終了時間調整処理は、ステップＳ３０１〜ステップＳ３０５を含む。図９に示す終了時間調整処理は、図７に示すステップＳ１０５に対応する。
【０１０５】
ステップＳ３０１において、制御部２０は、第１料理情報Ｃ１の第１加熱調理機で食材を加熱する作業を示す作業情報ＯＰ１１の作業期間を取得する。処理は、ステップＳ３０２に進む。
【０１０６】
ステップＳ３０２において、制御部２０は、第２料理情報Ｃ２の第２加熱調理機で食材を加熱する作業を示す作業情報ＯＰ３１の作業期間を取得する。処理は、ステップＳ３０３に進む。
【０１０７】
ステップＳ３０３において、制御部２０は、作業情報ＯＰ１１の作業期間と作業情報ＯＰ３１の作業期間とが一致するか否かを判定する。作業情報ＯＰ１１の作業期間と作業情報ＯＰ３１の作業期間とが一致する場合（ステップＳ３０３において、Ｙｅｓ）、処理は図７に示すステップＳ１０６に戻る。作業情報ＯＰ１１の作業期間と作業情報ＯＰ３１の作業期間とが一致しない場合（ステップＳ３０３において、Ｎｏ）、処理はステップＳ３０４に進む。
【０１０８】
ステップＳ３０３でＮｏの場合、ステップＳ３０４において、制御部２０は、作業情報ＯＰ１１の作業期間と作業情報ＯＰ３１の作業期間との差を算出する。処理は、ステップＳ３０５に進む。
【０１０９】
ステップＳ３０５において、制御部２０は、作業情報ＯＰ１１の作業期間と作業情報ＯＰ３１の作業期間との差に基づいて、作業情報ＯＰ１１の終了時間と作業情報ＯＰ３１の終了時間とが一致するように、作業情報ＯＰ１１の開始時間を調整する。図７に示すステップＳ１０６に戻る。
【０１１０】
次に、図１０を参照して、本発明の実施形態２を説明する。実施形態２の料理情報生成装置は、加熱調理装置である点で、実施形態１の料理情報生成装置と異なる。以下、実施形態２について、実施形態１と異なる事項について説明し、実施形態１と重複する部分についての説明は割愛する。
【０１１１】
図１０は、第１加熱調理機２００と第２加熱調理機３００とを示す図である。第１加熱調理機２００と第２加熱調理機３００とは、ネットワークＮを介して互いに通信する。
【０１１２】
第１加熱調理機２００は、例えば、電流により金属製の加熱部２５０を発熱させて食材を加熱する調理機である。第１加熱調理機２００は、「料理情報生成装置」の一例に相当する。第２加熱調理機３００は、例えば、電磁波、ヒーター、及び加熱した水蒸気のうちの少なくとも１つによって食材を加熱させる調理機である。第２加熱調理機３００は、「料理情報生成装置」の一例に相当する。
【０１１３】
次に、図１１を参照して、第１加熱調理機２００と第２加熱調理機３００とを詳しく説明する。図１１は、第１加熱調理機２００と第２加熱調理機３００との構成を示すブロック図である。
【０１１４】
第１加熱調理機２００は、本体部と、釜（図示せず）と、加熱部２５０と、攪拌部２６０と、タッチパネル２１０と、制御部２２０と、記憶部２３０と、通信部２４０とを備える。
【０１１５】
本体部は、筐体と、蓋とを含む。本体部は、上部の開放した形状を有しており、本体部の中央には、穴が設けられている。釜は、本体部の穴に載置される。蓋は、本体部の一端に取り付けられる。蓋は、本体部に対して開閉自在に設けられる。
【０１１６】
釜は、本体部の内部に載置され、本体部に装着される。なお、釜は、本体部から脱着可能である。釜には食材が入れられる。
【０１１７】
加熱部２５０は、本体部に配置される。加熱部２５０は、本体部に載置された釜を加熱する。加熱部２５０は、釜を加熱することで、食材を加熱する。加熱部２５０は、電磁方式によって熱を発生させてもよい。加熱部２５０は、コイルを含んでもよい。
【０１１８】
攪拌部２６０は、釜に入れられた食材を攪拌する。
【０１１９】
タッチパネル２１０は、画像を表示し、ユーザーからの操作を受け付ける。タッチパネル２１０は、表示部２１１と、タッチセンサー２１２とを有する。表示部２１１は種々の画像を表示する。表示部２１１は、例えば液晶表示装置（ＬＣＤ）である。タッチセンサー２１２は、タッチパネル２１０に対する操作の位置を検知する。
【０１２０】
制御部２２０は、タッチパネル２１０、記憶部２３０、加熱部２５０、攪拌部２６０、及び通信部２４０のような第１加熱調理機２００の各要素を制御する。制御部２０は、ＣＰＵまたはＡＳＩＣのようなプロセッサー、及び記憶装置を含む。
【０１２１】
記憶部２３０は、記憶装置を含み、データ及びコンピュータープログラムを記憶する。具体的には、記憶部２３０は、半導体メモリーのような主記憶装置、並びに、半導体メモリー及び／またはハードディスクドライブのような補助記憶装置を含む。記憶部２３０は、リムーバブルメディアを含んでもよい。
【０１２２】
通信部２４０は、ネットワークＮを介して、第２加熱調理機３００と通信する。具体的には、通信部２４０は、ネットワークＮを介して、タッチパネル２１０から発信された第１加熱調理機２００の料理情報を第２加熱調理機３００に送信する。また、通信部２４０は、ネットワークＮを介して、第２加熱調理機３００の料理情報を受信する。
【０１２３】
第２加熱調理機３００は、本体部と、加熱庫（図示せず）と、第１加熱部３５０と、第２加熱部３６０と、タッチパネル３１０と、制御部３２０と、記憶部３３０と、通信部３４０とを備える。
【０１２４】
本体部は、筐体と、蓋とを含む。本体部は、内部に加熱庫を収容する。蓋は、本体部の一端に取り付けられる。蓋は、本体部に対して開閉自在に設けられる。
【０１２５】
加熱庫には、食材が配置される。
【０１２６】
第１加熱部３５０は、本体部に配置される。第１加熱部３５０は、加熱庫に載置された食材を電磁波によって加熱する。第２加熱部３６０は、本体部に配置される。第２加熱部３６０は、加熱庫に載置された食材を水蒸気によって加熱する。
【０１２７】
タッチパネル３１０は、画像を表示し、ユーザーからの操作を受け付ける。タッチパネル３１０は、表示部３１１と、タッチセンサー３１２とを有する。表示部３１１は種々の画像を表示する。表示部３１１は、例えば液晶表示装置（ＬＣＤ）である。タッチセンサー３１２は、タッチパネル３１０に対する操作の位置を検知する。
【０１２８】
制御部３２０は、タッチパネル３１０、記憶部３３０、第１加熱部３５０、第２加熱部３６０、及び通信部３４０のような第２加熱調理機３００の各要素を制御する。制御部３２０は、ＣＰＵまたはＡＳＩＣのようなプロセッサー、及び記憶装置を含む。
【０１２９】
記憶部３３０は、記憶装置を含み、データ及びコンピュータープログラムを記憶する。具体的には、記憶部３３０は、半導体メモリーのような主記憶装置、並びに、半導体メモリー及び／またはハードディスクドライブのような補助記憶装置を含む。記憶部３３０は、リムーバルメディアを含んでもよい。
【０１３０】
通信部３４０は、ネットワークＮを介して、第１加熱調理機２００と通信する。具体的には、通信部３４０は、ネットワークＮを介して、タッチパネル３１０から発信された第２加熱調理機３００の料理情報を第１加熱調理機２００に送信する。また、通信部３４０は、ネットワークＮを介して、第１加熱調理機２００の料理情報を受信する。
【０１３１】
引き続き図１１を参照して、第１加熱調理機２００の制御部２２０の構成と第２加熱調理機３００の制御部３２０の構成とを詳しく説明する。
【０１３２】
第１加熱調理機２００の制御部２２０は、抽出部２２１と、集約部２２２と、生成部２２３とを有する。制御部２２０は、記憶部２３０に記憶された制御プログラムを実行することで、抽出部２２１、集約部２２２、及び生成部２２３として機能する。
【０１３３】
第２加熱調理機３００の制御部３２０は、抽出部３２１と、集約部３２２と、生成部３２３とを有する。制御部３２０は、記憶部３３０に記憶された制御プログラムを実行することで、抽出部３２１、集約部３２２、及び生成部３２３として機能する。
【０１３４】
また、通信部２４０が第２料理情報Ｃ２を受信する場合、実施形態２の抽出部２２１は、第１料理情報Ｃ１と第２料理情報Ｃ２とから同じ作業を示す複数の作業情報を抽出する。そして、集約部２２２は、抽出部２２１によって抽出された第１料理情報Ｃ１の作業情報と、抽出部２２１によって抽出された第２料理情報Ｃ２の作業情報とを集約して、集約作業情報を生成する。更に、生成部２２３は、手順情報を生成する。したがって、第１加熱調理機２００と第２加熱調理機３００とを用いて、複数の料理を作成できる。１つの加熱調理機で複数の料理を作成するときと比べて、調理に係る時間が短くなる。この結果、効率的に料理を作成できる。
【０１３５】
また、通信部３４０が第１料理情報Ｃ１を受信する場合、実施形態２の抽出部３２１は、第１料理情報Ｃ１と第２料理情報Ｃ２とから同じ作業を示す複数の作業情報を抽出する。そして、集約部３２２は、抽出部３２１によって抽出された第１料理情報Ｃ１の作業情報と、抽出部３２１によって抽出された第２料理情報Ｃ２の作業情報とを集約して、集約作業情報を生成する。更に、生成部３２３は、手順情報を生成する。したがって、第１加熱調理機２００と第２加熱調理機３００とを用いて、複数の料理を作成できる。１つの加熱調理機で複数の料理を作成するときと比べて、調理に係る時間が短くなる。この結果、効率的に料理を作成できる。
【０１３６】
以上、図面を参照しながら本発明の実施形態を説明した。但し、本発明は、上記の実施形態に限られるものではなく、その要旨を逸脱しない範囲で種々の態様において実施することが可能である。また、上記の各実施形態に開示されている複数の構成要素を適宜組み合わせることによって、種々の発明の形成が可能である。例えば、実施形態に示される全構成要素から幾つかの構成要素を削除してもよい。更に、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる。また、上記の実施形態で示す各構成要素の速度、材質、形状、寸法等は一例であって、特に限定されるものではなく、本発明の構成から実質的に逸脱しない範囲で種々の変更が可能である。
【０１３７】
（１）実施形態１において、集約部２２は、食材に対する同じ作業を示す複数の作業情報を集約したが、食材に対する作業と異なる作業を示す作業情報を集約してもよい。例えば、集約部２２は、図５に示す作業情報ＯＰ９と作業情報ＯＰ３０とを集約して集約作業情報を生成してもよい。したがって、複数の料理の各々で実行される作業を１つの手順で実行できる。この結果、料理にかかる時間を低減できる。
【産業上の利用可能性】
【０１３８】
本発明は、料理情報生成装置、表示装置、加熱調理機及び料理情報生成方法の分野に利用可能である。
【符号の説明】
【０１３９】
２１        抽出部
２２        集約部
２３        生成部
４０        通信部
１００      表示装置
２００      第１加熱調理機
２２１      抽出部
２２２      集約部
２２３      生成部
２５０      加熱部
３００      第２加熱調理機
３２１      抽出部
３２２      集約部
３２３      生成部
３５０      第１加熱部
３６０      第２加熱部
【図１】
2020194283.tif 000003
【図２】
2020194283.tif 000004
【図３】
2020194283.tif 000005
【図４】
2020194283.tif 000006
【図５】
2020194283.tif 000007
【図６】
2020194283.tif 000008
【図７】
2020194283.tif 000009
【図８】
2020194283.tif 000010
【図９】
2020194283.tif 000011
【図１０】
2020194283.tif 000012
【図１１】
2020194283.tif 000013